(57)【要約】【課題】ＵＳＢ  Ｔｙｐｅ−ＣとＡｌｔｅｒｎａｔｅ  Ｍｏｄｅに対応したソース機器を、汎用のＵＳＢ  Ｔｙｐｅ−Ｃケーブルを使用して、ＨＤＭＩ（登録商標）若しくはＭＨＬ対応のシンク機器に接続するアダプターを提供する。【解決手段】まずソース機器１０がＭＨＬに対応しているか否かをチェックし、ソース機器１０がＭＨＬに対応している場合には、シンク機器２０からソース機器１０への電源供給を開始して、ソース機器１０をＭＨＬ動作モードに設定する。ＭＨＬを最優先でチェックするのは、シンク機器２０からソース機器１０への電源供給により、ソース機器１０の電源の消耗を抑えることができるからである。【選択図】  図１
2017097603.tif 000002
【特許請求の範囲】
【請求項１】
ソース機器と接続する第１の接続部と、
シンク機器と接続する第２の接続部と、
代替モードの設定を制御する制御部と、
前記ソース機器からの入力を前記シンク機器が対応する伝送規格に則ってプロトコル変換する変換部と、
を具備するアダプター。
【請求項２】
前記制御部は、前記ソース機器が対応する代替モードを確認して、前記アダプターの代替モードの設定を制御する、
請求項１に記載のアダプター。
【請求項３】
前記制御部は、前記ソース機器で指定されている優先順位に従って、前記アダプターの代替モードの設定を制御する、
請求項１に記載のアダプター。
【請求項４】
前記制御部は、いずれの伝送規格の代替モードに設定するかを所定の順序で確認する、
請求項１に記載のアダプター。
【請求項５】
前記制御部は、シンク機器による電源供給機能を有する第１の伝送規格の代替モードを優先して設定する、
請求項４に記載のアダプター。
【請求項６】
前記制御部は、前記ソース機器及び前記シンク機器がともに前記第１の伝送規格に対応する場合には、前記シンク機器からの電源供給に切り替えるとともに、前記第１の伝送規格の代替モードに設定する、
請求項５に記載のアダプター。
【請求項７】
前記制御部は、前記シンク機器が対応する前記伝送規格との互換性に基づいて代替モードの設定を制御する、
請求項４に記載のアダプター。
【請求項８】
前記制御部は、前記シンク機器が対応する前記伝送規格の代替モードに優先して設定する、
請求項４に記載のアダプター。
【請求項９】
前記制御部は、前記シンク機器が対応する前記伝送規格と互換性の高い代替モードに優先して設定する、
請求項４に記載のアダプター。
【請求項１０】
前記制御部は、ＭＨＬ、ＤｉｓｐｌａｙＰｏｒｔの順序で代替モードの設定が可能か否かを確認する、
請求項４に記載のアダプター。
【請求項１１】
前記制御部は、ＭＨＬ、ＨＤＭＩ（登録商標）、ＤｉｓｐｌａｙＰｏｒｔ、Ｔｈｕｎｄｅｒｂｏｌｔの順序で代替モードの設定が可能か否かを確認する、
請求項４に記載のアダプター。
【請求項１２】
前記第１の接続部は、汎用ケーブルを介して前記ソース機器と接続する、
請求項１に記載のアダプター。
【請求項１３】
前記第１の接続部は、ＵＳＢ（Ｕｎｉｖｅｒｓａｌ  Ｓｅｒｉａｌ  Ｂｕｓ）  Ｔｙｐｅ−Ｃレセプタクルを備え、ＵＳＢ  Ｔｙｐｅ−Ｃケーブルを介して、ＵＳＢ  Ｔｙｐｅ−ＣのＡｌｔｅｒｎａｔｅ  Ｍｏｄｅに対応した前記ソース機器と接続する、
請求項１に記載のアダプター。
【請求項１４】
前記第２の接続部は、ＨＤＭＩ（登録商標）に対応した前記シンク機器に差し込むＨＤＭＩ（登録商標）  Ｔｙｐｅ−Ａプラグを備える、
請求項１３に記載のアダプター。
【請求項１５】
ソース機器と接続する第１の接続部とシンク機器と接続する第２の接続部を備えたアダプターの制御方法であって、
前記アダプターの代替モードの設定を制御する制御ステップと、
前記ソース機器からの入力を前記シンク機器が対応する伝送規格に則ってプロトコル変換する変換ステップと、
を有するアダプターの制御方法。
【請求項１６】
シンク機器とケーブルで接続する接続部と、
代替モードに関する動作モードの優先順位リストと、
を具備する情報処理装置。
【請求項１７】
前記接続部は、汎用ケーブルを介して前記ソース機器と接続する、
請求項１６に記載の情報処理装置。
【請求項１８】
ＵＳＢ  Ｔｙｐｅ−ＣのＡｌｔｅｒｎａｔｅ  Ｍｏｄｅに対応し、
前記接続部は、ＵＳＢ  Ｔｙｐｅ−Ｃレセプタクルを備え、ＵＳＢ  Ｔｙｐｅ−Ｃケーブルを介して請求項１３に記載のアダプターと接続する、
請求項１６に記載の情報処理装置。
【発明の詳細な説明】
【技術分野】
【０００１】
本明細書で開示する技術は、さまざまなデータ伝送規格に対応した機器を所定のデータ伝送規格に準拠する他の機器に接続するためのアダプター及びその制御方法、並びに、さまざまなデータ伝送規格に対応したデータを出力する情報処理装置に係り、例えばＵＳＢ  Ｔｙｐｅ−Ｃの代替モードで動作する機器を他の機器に接続するためのアダプター及びその制御方法、並びに、ＵＳＢ  Ｔｙｐｅ−Ｃの代替モードに対応した情報処理装置に関する。
【背景技術】
【０００２】
ＵＳＢ（Ｕｎｉｖｅｒｓａｌ  Ｓｅｒｉａｌ  Ｂｕｓ）は、コンピューターを始めとする情報機器にさまざまな周辺機器を接続するシリアル・バス規格として、既に広く普及している。また、ＵＳＢ３．１規格では、ＵＳＢ  Ｔｙｐｅ−Ｃという、コネクター及びケーブルの種類が新たに追加された。
【０００３】
ＵＳＢ  Ｔｙｐｅ−Ｃコネクターは、ＵＳＢ３．０コネクター並びにｍｉｃｒｏＵＳＢコネクターなどで使用されているＵＳＢ２．０規格の信号をそれぞれ２本分同時に配線できるような構造を備え、複数の規格をサポートすることができ、また、電源供給と周辺機器の接続に兼用することができる。
【０００４】
また、ＵＳＢ  Ｔｙｐｅ−Ｃは、代替モード（Ａｌｔｅｒｎａｔｅ  Ｍｏｄｅ又はＡｌｔ  Ｍｏｄｅ）という動作モードを有し、コネクター内部の接続のうちＵＳＢ３．０互換のデータ信号線１本分〜２本分までの範囲内で別の規格のポートとして使用することができる。代替モードは、標準的な ＵＳＢ Ｔｙｐｅ−Ｃコネクターとケーブルを使用して、さまざまなデータ伝送規格に従う映像及び音声信号を転送することができ、その他にも最大１００Ｗの電力供給や１０Ｇｂｐｓのデータ通信を行なう（但し、ＵＳＢ３．１ 規格の場合）、といった特徴がある。
【０００５】
ＵＳＢ  Ｔｙｐｅ−Ｃの代替モードを用いたデータ伝送規格として、例えば、ディジタル映像伝送を実現するＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）や、ＭＨＬ（Ｍｏｂｉｌｅ  Ｈｉｇｈ−Ｄｅｆｉｎｉｔｉｏｎ  Ｌｉｎｋ）が提唱している「ＭＨＬＡｌｔｅｒｎａｔｉｖｅ  Ｍｏｄｅ」、ＶＥＳＡ（Ｖｉｄｅｏ Ｅｌｅｃｔｒｏｎｉｃｓ Ｓｔａｎｄａｒｄｓ Ａｓｓｏｃｉａｔｉｏｎ）が提唱している「ＤｉｓｐｌａｙＰｏｒｔ  Ａｌｔｅｒｎａｔｅ  Ｍｏｄｅ」、米インテル社が提唱している「Ｔｈｕｎｄｅｒｂｏｌｔ  ３」などが挙げられる。
【０００６】
例えば、ＵＳＢ３．０ポート（又はコネクター）を有する携帯装置と、ディジタルビデオポート（ＨＤＭＩ（登録商標）ポート、ディスプレイポート、ＤＶＩポートなど）とをＵＳＢ３．０ケーブルで接続したシステムについて提案がなされている（例えば、特許文献１を参照のこと）。今後は、ＵＳＢ  Ｔｙｐｅ−Ｃコネクター及びＡｌｔｅｒｎａｍｅ  Ｍｏｄｅ対応のソース機器が普及してくる見込みがあり、この種のソース機器にシンク機器に接続する機会が増えてくる。
【先行技術文献】
【特許文献】
【０００７】
【特許文献１】特開２０１０−２８７２４０号公報
【発明の概要】
【発明が解決しようとする課題】
【０００８】
本明細書で開示する技術の目的は、さまざまなデータ伝送規格に対応した機器を所定のデータ伝送規格に準拠する他の機器に接続するためのアダプター及びその制御方法、並びに、さまざまなデータ伝送規格に対応したデータを出力する情報処理装置を提供することにある。
【０００９】
本明細書で開示する技術のさらなる目的は、ＵＳＢ  Ｔｙｐｅ−Ｃの代替モードで動作する機器を他の機器に接続するためのアダプター及びその制御方法、並びに、ＵＳＢ  Ｔｙｐｅ−Ｃの代替モードに対応した情報処理装置を提供することにある。
【課題を解決するための手段】
【００１０】
本明細書で開示する技術は、上記課題を参酌してなされたものであり、その第１の側面は、
ソース機器と接続する第１の接続部と、
シンク機器と接続する第２の接続部と、
代替モードの設定を制御する制御部と、
前記ソース機器からの入力を前記シンク機器が対応する伝送規格に則ってプロトコル変換する変換部と、
を具備するアダプターである。
【００１１】
本明細書で開示する技術の第２の側面によれば、第１の側面に係るアダプターの前記制御部は、前記ソース機器が対応する代替モードを確認して、前記アダプターの代替モードの設定を制御するように構成されている。
【００１２】
本明細書で開示する技術の第３の側面によれば、第１の側面に係るアダプターの前記制御部は、前記ソース機器で指定されている優先順位に従って、前記アダプターの代替モードの設定を制御するように構成されている。
【００１３】
本明細書で開示する技術の第４の側面によれば、第１の側面に係るアダプターの前記制御部は、いずれの伝送規格の代替モードに設定するかを所定の順序で確認するように構成されている。
【００１４】
本明細書で開示する技術の第５の側面によれば、第４の側面に係るアダプターの前記制御部は、シンク機器による電源供給機能を有する第１の伝送規格の代替モードを優先して設定するように構成されている。
【００１５】
本明細書で開示する技術の第６の側面によれば、第５の側面に係るアダプターの前記制御部は、前記ソース機器及び前記シンク機器がともに前記第１の伝送規格に対応する場合には、前記シンク機器からの電源供給に切り替えるとともに、前記第１の伝送規格の代替モードに設定するように構成されている。
【００１６】
本明細書で開示する技術の第７の側面によれば、第４の側面に係るアダプターの前記制御部は、前記シンク機器が対応する前記伝送規格との互換性に基づいて代替モードの設定を制御するように構成されている。
【００１７】
本明細書で開示する技術の第８の側面によれば、第４の側面に係るアダプターの前記制御部は、前記シンク機器が対応する前記伝送規格の代替モードに優先して設定するように構成されている。
【００１８】
本明細書で開示する技術の第９の側面によれば、第４の側面に係るアダプターの前記制御部は、前記シンク機器が対応する前記伝送規格と互換性の高い代替モードに優先して設定するように構成されている。
【００１９】
本明細書で開示する技術の第１０の側面によれば、第４の側面に係るアダプターの前記制御部は、ＭＨＬ、ＤｉｓｐｌａｙＰｏｒｔの順序で代替モードの設定が可能か否かを確認するように構成されている。
【００２０】
本明細書で開示する技術の第１１の側面によれば、第４の側面に係るアダプターの前記制御部は、ＭＨＬ、ＨＤＭＩ（登録商標）、ＤｉｓｐｌａｙＰｏｒｔ、Ｔｈｕｎｄｅｒｂｏｌｔの順序で代替モードの設定が可能か否かを確認するように構成されている。
【００２１】
本明細書で開示する技術の第１２の側面によれば、第１の側面に係るアダプターの前記第１の接続部は、汎用ケーブルを介して前記ソース機器と接続するように構成されている。
【００２２】
本明細書で開示する技術の第１３の側面によれば、第１の側面に係るアダプターの前記第１の接続部は、ＵＳＢ（Ｕｎｉｖｅｒｓａｌ  Ｓｅｒｉａｌ  Ｂｕｓ）  Ｔｙｐｅ−Ｃレセプタクルを備え、ＵＳＢ  Ｔｙｐｅ−Ｃケーブルを介して、ＵＳＢ  Ｔｙｐｅ−ＣのＡｌｔｅｒｎａｔｅ  Ｍｏｄｅに対応した前記ソース機器と接続するように構成されている。
【００２３】
本明細書で開示する技術の第１４の側面によれば、第１３の側面に係るアダプターの前記第２の接続部は、ＨＤＭＩ（登録商標）に対応した前記シンク機器に差し込むＨＤＭＩ（登録商標）  Ｔｙｐｅ−Ａプラグを備えている。
【００２４】
また、本明細書で開示する技術の第１５の側面は、
ソース機器と接続する第１の接続部とシンク機器と接続する第２の接続部を備えたアダプターの制御方法であって、
前記アダプターの代替モードの設定を制御する制御ステップと、
前記ソース機器からの入力を前記シンク機器が対応する伝送規格に則ってプロトコル変換する変換ステップと、
を有するアダプターの制御方法である。
【００２５】
また、本明細書で開示する技術の第１６の側面は、
シンク機器とケーブルで接続する接続部と、
代替モードに関する動作モードの優先順位リストと、
を具備する情報処理装置である。
【００２６】
本明細書で開示する技術の第１７の側面によれば、第１６の側面に係る情報処理装置の前記接続部は、汎用ケーブルを介して前記ソース機器と接続するように構成されている。
【００２７】
本明細書で開示する技術の第１８の側面によれば、第１６の側面に係る情報処理装置は、ＵＳＢ  Ｔｙｐｅ−ＣのＡｌｔｅｒｎａｔｅ  Ｍｏｄｅに対応している。そして、前記接続部は、ＵＳＢ  Ｔｙｐｅ−Ｃレセプタクルを備え、ＵＳＢ  Ｔｙｐｅ−Ｃケーブルを介して上記（１３）に記載のアダプターと接続するように構成されている。
【発明の効果】
【００２８】
本明細書で開示する技術によれば、さまざまなデータ伝送規格に対応した機器を所定のデータ伝送規格に準拠する他の機器に接続するためのアダプター及びその制御方法、並びに、さまざまなデータ伝送規格に対応したデータを出力する情報処理装置を提供することができる。
【００２９】
また、本明細書で開示する技術によれば、ＵＳＢ  Ｔｙｐｅ−Ｃの代替モードで動作する機器を他の機器に接続するためのアダプター及びその制御方法、並びに、ＵＳＢ  Ｔｙｐｅ−Ｃの代替モードに対応した情報処理装置を提供することができる。
【００３０】
なお、本明細書に記載された効果は、あくまでも例示であり、本発明の効果はこれに限定されるものではない。また、本発明が、上記の効果以外に、さらに付加的な効果を奏する場合もある。
【００３１】
本明細書で開示する技術のさらに他の目的、特徴や利点は、後述する実施形態や添付する図面に基づくより詳細な説明によって明らかになるであろう。
【図面の簡単な説明】
【００３２】
【図１】図１は、本明細書で開示する技術を適用した通信システム１の構成例を模式的に示した図である。
【図２】図２は、マルチ・アダプター４０の内部構成例を示した図である。
【図３】図３は、通信システム１において代替モードを設定するための処理手順を示したフローチャートである。
【図４】図４は、通信システム１において代替モードを設定するための処理手順を示したフローチャートである。
【発明を実施するための形態】
【００３３】
以下、図面を参照しながら本明細書で開示する技術の実施形態について詳細に説明する。
【００３４】
ＵＳＢ  Ｔｙｐｅ−Ｃコネクターは、電源供給と周辺機器の接続に兼用できるとともに、代替モード（前述）を有し、複数のデータ伝送規格をサポートすることができる。今後は、パーソナル・コンピューターやタブレットなどにおいて、ＵＳＢ  Ｔｙｐｅ−Ｃと代替モードに対応したソース機器が普及してくることが想定される。
【００３５】
他方、製品のライフサイクルと必然性を考慮すると、ＴＶなどのシンク機器にはＵＳＢ  Ｔｙｐｅ−Ｃコネクターが普及しない可能性もある。何故ならば、ＴＶなどの製品には、小型のコネクターはあまり要求されず、また、ＵＳＢ機能の対応はプライオリティーが低いからである。
【００３６】
ＵＳＢ  Ｔｙｐｅ−Ｃと代替モードに対応したソース機器をシンク機器に接続したい場合、代替モード毎に対応したシンク機器及び対応ケーブルを用意するという方法が考えられる。また、現状（若しくは、本出願時）の市場の８０％余りを占めるＨＤＭＩ（登録商標）搭載のシンク機器に代替モード対応のソース機器を接続したい場合には、何かしらの専用変換アダプターが必要になり、利便性がよくない。
【００３７】
そこで、本明細書では、ＵＳＢ  Ｔｙｐｅ−Ｃと代替モードに対応したソース機器を、汎用のＵＳＢ  Ｔｙｐｅ−Ｃケーブルを使用して、ＨＤＭＩ（登録商標）若しくはＭＨＬ対応のシンク機器に簡易に接続する技術について、以下で提案する。ここで、ＨＤＭＩ（登録商標）若しくはＭＨＬ対応のシンク機器として、既存のＨＤＭＩ（登録商標）端子付きＴＶモニターなどを想定する。
【００３８】
図１には、本明細書で開示する技術を適用した通信システム１の構成例を模式的に示している。図示の通信システム１は、ソース機器１０と、シンク機器２０と、これらソース機器１０とシンク機器２０間を接続するために使用するケーブル３０と、このケーブル３０とシンク機器２０間に介在するマルチ・アダプター４０で構成される。
【００３９】
ソース機器１０は、ＵＳＢ  Ｔｙｐｅ−Ｃと複数の代替モードに対応している。ここで言う複数の代替モードには、ＭＨＬ、ＤｉｓｐｌａｙＰｏｒｔ、Ｔｈｕｎｄｅｒｂｏｌｔなどが含まれる。図示のソース機器１０は、Ｔｙｐｅ−Ｃコントローラー１１と、プロトコル・コンバーター１２と、Ｔｙｐｅ−Ｃレセプタクル１３を備えている。Ｔｙｐｅ−Ｃコントローラー１１は、ＵＳＢ  Ｔｙｐｅ−Ｃに対応した信号処理を行なう。プロトコル・コンバーター１２は、Ｔｙｐｅ−Ｃコントローラー１１で処理される信号を他のデータ伝送規格に則った信号に変換し、又はその逆変換を行なう。Ｔｙｐｅ−Ｃレセプタクル１３は、汎用のＵＳＢ  Ｔｙｐｅ−ＣケーブルのＴｙｐｅ−Ｃプラグに対応したレセプタクルであり、図示の例ではケーブル３０の一端が差されている。ソース機器１０は、ＭＨＬ、ＨＤＭＩ（登録商標）、ＤｉｓｐｌａｙＰｏｒｔ、Ｔｈｕｎｄｅｒｂｏｌｔなど複数の代替モードに対応するものとする。
【００４０】
シンク機器２０は、ＨＤＭＩ（登録商標）若しくはＭＨＬに対応し、ＨＤＭＩ（登録商標）Ｔｙｐｅ−Ａレセプタクル２１を備えている。Ｔｙｐｅ−Ａレセプタクル２１の端子はＭＨＬ対応の場合もある。
【００４１】
ケーブル３０は、汎用（既存）のＵＳＢ  Ｔｙｐｅ−Ｃケーブルをそのまま使用することを想定しており、両端にＴｙｐｅ−Ｃプラグ３１及び３２を備えている。図示の例では、一方のＴｙｐｅ−Ｃプラグ３１は、ソース機器１０のＴｙｐｅ−Ｃレセプタクル１３に差し込まれ、他方のＴｙｐｅ−Ｃプラグ３２は、マルチ・アダプター４０が持つＴｙｐｅ−Ｃレセプタクル４１に差し込まれている。
【００４２】
マルチ・アダプター４０は、ＭＨＬ、ＨＤＭＩ（登録商標）、ＤｉｓｐｌａｙＰｏｒｔ、Ｔｈｕｎｄｅｒｂｏｌｔなど複数の代替モードに対応するソース機器１０にＨＤＭＩ（登録商標）若しくはＭＨＬに対応するシンク機器２０を汎用のＵＳＢ  Ｔｙｐｅ−Ｃケーブル３０で接続するためのアダプターである。マルチ・アダプター４０は、Ｔｙｐｅ−Ｃレセプタクル４１とＨＤＭＩ（登録商標）Ｔｙｐｅ−Ａプラグ４２を備えている。図示の例では、Ｔｙｐｅ−Ｃレセプタクル４１には、ケーブル３０の他方のＴｙｐｅ−Ｃプラグ３２が差し込まれ、ＨＤＭＩ（登録商標）Ｔｙｐｅ−Ａプラグ４２は、シンク機器のＴｙｐｅ−Ａレセプタクル２１に差し込まれている。
【００４３】
図２には、マルチ・アダプター４０の内部構成例を示している。図示のマルチ・アダプター４０は、Ｔｙｐｅ−Ｃコントローラー４３と、プロトコル・コンバーター４４と、Ｐｏｗｅｒブロック４５を備えている。
【００４４】
Ｔｙｐｅ−Ｃコントローラー４３は、ＵＳＢ  Ｔｙｐｅ−Ｃに対応した信号処理を行なう。Ｔｙｐｅ−Ｃコントローラー４３は、マルチ・アダプター４０において対応可能な代替モードを把握しているものとする。
【００４５】
プロトコル・コンバーター４４は、ケーブル３０経由で受信する信号をＨＤＭＩ（登録商標）規格に則った信号にプロトコル変換し、又はその逆変換を行なう。例えば、ＭＨＬ、ＨＤＭＩ（登録商標）、ＤｉｓｐｌａｙＰｏｒｔ、Ｔｈｕｎｄｅｒｂｏｌｔの各代替モードに対応するマルチ・アダプター４０の場合、プロトコル・コンバーター４４は、ＭＨＬ、ＤｉｓｐｌａｙＰｏｒｔ、Ｔｈｕｎｄｅｒｂｏｌｔの各データ伝送規格に従う信号をＨＤＭＩ（登録商標）にプロトコル変換することができるものとする。
【００４６】
Ｐｏｗｅｒブロック４５は、Ｔｙｐｅ−Ｃレセプタクル４１経由でソース機器１０から電源の供給を受けるか、又は、Ｔｙｐｅ−Ａプラグ４２経由でシンク機器２０から電源の供給を受けるか、マルチ・アダプター４０への電源供給の切り替えを行なう。
【００４７】
また、オプションとして、参照番号４６で示すように、マルチ・アダプター４０にＯＳＤ（Ｏｎ  Ｓｃｒｅｅｎ  Ｄｉｓｐｌａｙ）やＳＧ（信号発生装置）などを備えた表示用デバイスを組み込むこともできる。ＯＳＤは、例えばシンク機器２０でエラー・メッセージなどを表示することができる。
【００４８】
図１に示した通信システム１では、ソース機器１０が対応する代替モードとマルチ・アダプター４０が対応する代替モードが一致するかを確認し、一致することが確認された代替モードのインターフェースの仕様並びにプロトコルに従い、ソース機器１０とマルチ・アダプター４０間のリンクを確立し通信を開始する。
【００４９】
ここで、ソース機器１０とマルチ・アダプター４０間で複数の代替モードで一致することが確認された場合には、ソース機器１０側の要望に従って、ソース機器１０とマルチ・アダプター４０に設定すべき代替モードを決定する。例えば、ソース機器１０は、ソース機器１０自身が出力したい代替モードの優先順位を「優先順位リスト」という形式で指定する。そして、ソース機器１０とマルチ・アダプター４０間で一致することが確認された複数の代替モードのうち、優先順位リストで最上位にリストアップされているものに決定する。
【００５０】
ソース機器１０が代替モードの優先順位を指定しない場合には、通信システム１若しくはマルチ・アダプター４０においてあらかじめ設定している優先順位に従って、ソース機器１０とマルチ・アダプター４０に設定すべき代替モードを決定する。例えば、マルチ・アダプター４０がＭＨＬ、ＨＤＭＩ（登録商標）、ＤｉｓｐｌａｙＰｏｒｔ、Ｔｈｕｎｄｅｒｂｏｌｔなどを含む複数の代替モードに対応する場合には、ＭＨＬ、ＨＤＭＩ（登録商標）、ＤｉｓｐｌａｙＰｏｒｔ、Ｔｈｕｎｄｅｒｂｏｌｔの順序で対応可能か否かを確認する。
【００５１】
ＭＨＬを最優先するのは、ＭＨＬ対応のシンク機器２０からの電源供給が可能となり、ソース機器１０の電源の消耗を抑えることができるからである。続いてＨＤＭＩ（登録商標）への対応を優先するのは、ソース機器１０とシンク機器２０の双方がＨＤＭＩ（登録商標）の代替モードに対応していれば、マルチ・アダプター４０内のプロトコル・コンバーター４４は特にコンバート処理する必要なくシンク機器２０に出力することができ、コンバート処理負荷がかからないため消費電力や遅延を抑制できるからである。続いてＤｉｓｐｌａｙＰｏｒｔへの対応をチェックするのは、ＤｉｓｐｌａｙＰｏｒｔがＨＤＭＩ（登録商標）と信号処理において互換性が高いことと、ＤｉｓｐｌａｙＰｏｒｔの代替モードに対応したソース機器の出荷量が大きいことに依拠する。
【００５２】
また、ソース機器１０とマルチ・アダプター４０間でリンクを確立し通信を開始すると、マルチ・アダプター４０内のプロトコル・コンバーター４４は、ソース機器１０からの入力を、シンク機器２０に適合するデータ伝送規格（例えば、ＨＤＭＩ（登録商標）など）のプロトコルにコンバート処理してから、シンク機器２０に出力する。
【００５３】
図３には、図１に示した通信システム１において代替モードを設定するための処理手順の一例をフローチャートの形式で示している。基本的には、マルチ・アダプター４０が主導的となって代替モードの設定を行なうものとする。また、図示の処理手順は、マルチ・アダプター４０が少なくともＭＨＬ並びにＤｉｓｐｌａｙＰｏｒｔの各データ伝送規格を含む複数の代替モードに対応していることを前提とする。
【００５４】
ソース機器１０とシンク機器２０に装着されたマルチ・アダプター４０がＴｙｐｅ−Ｃケーブル３０で接続されると、ソース機器１０とマルチ・アダプター４０間でＴｙｐｅ−Ｃの規格に沿った通信が開始する。そして、マルチ・アダプター４０は、接続されたソース機器１０が代替モードに対応しているか否かをチェックする（ステップＳ３０１）。
【００５５】
ソース機器１０が代替モードに対応していない場合には（ステップＳ３０１のＮｏ）、マルチ・アダプター４０は対応不可ということでソース機器１０との通信を終了し、本処理ルーチンを終了する。マルチ・アダプター４０が表示用デバイス４６を搭載している場合には、代替モードでの通信が確立しなかった際に、「この機器は対応していません」などのエラー・メッセージをシンク機器２０側で表示するようにしてもよい。
【００５６】
一方、ソース機器１０が代替モードに対応している場合には（ステップＳ３０１のＹｅｓ）、マルチ・アダプター４０は、続いて、ソース機器１０がどの代替モードに対応しているかを確認する。
【００５７】
まず、マルチ・アダプター４０は、ソース機器１０が出力したい優先順位リストを持っているか否かをチェックする（ステップＳ３０２）。
【００５８】
本実施形態では、代替モードに対応するソース機器１０は、ソース機器１０自身が出力したい代替モードの優先順位を設定することができ、Ｔｙｐｅ−Ｃコントローラー１１が優先順位リストという形式で管理している（前述）。
【００５９】
ソース機器１０が代替モードの優先順位リストを持っている場合には（ステップＳ３０２のＹｅｓ）、マルチ・アダプター４０は、その優先順位リストで指定されている順序に従って、マルチ・アダプター４０自身が対応している代替モードであるか否かを確認する（ステップＳ３０７）。
【００６０】
マルチ・アダプター４０が対応可能な代替モードが優先順位リスト内に存在すれば（ステップＳ３０７のＹｅｓ）、マルチ・アダプター４０は自身が対応可能であることをソース機器１０に返して、ソース機器１０とマルチ・アダプター４０の双方の代替モードをマルチ・アダプター４０が対応可能で優先順位リストの最上位となる動作モードに切り替える（ステップＳ３０８）。そして、当該動作モードのインターフェースの仕様及びプロトコルに従って、ソース機器１０とマルチ・アダプター４０間のリンクを成立させて、ソース機器１０とマルチ・アダプター４０間の代替モード接続を完了する（ステップＳ３０９）。その後、ソース機器１０とマルチ・アダプター４０間で通信を開始すると、マルチ・アダプター４０内のプロトコル・コンバーター４４は、ソース機器１０からの入力をＨＤＭＩ（登録商標）に適宜変換して、シンク機器２０に出力する。
【００６１】
また、ソース機器１０が持つ優先順位リストにリストアップされている代替モードの中に、マルチ・アダプター４０が対応可能なものが含まれていない場合には（ステップＳ３０７のＮｏ）、マルチ・アダプター４０は、対応不可ということでソース機器１０との通信を終了し、本処理ルーチンを終了する。マルチ・アダプター４０が表示用デバイス４６を搭載している場合には、代替モードでの通信が確立しなかった際に、「この機器は対応していません」などのエラー・メッセージをシンク機器２０側で表示するようにしてもよい。
【００６２】
また、ソース機器１０が出力したい優先順位リストを持っていない場合には（ステップＳ３０２のＮｏ）、マルチ・アダプター４０は、通信システム１若しくはマルチ・アダプター４０においてあらかじめ設定している優先順位に従って、代替モードの設定を開始する。
【００６３】
具体的には、マルチ・アダプター４０は、まずシンク機器２０がＭＨＬに対応しているか否かをチェックする（ステップＳ３０３）。ソース機器１０がＭＨＬに対応する場合には、ＭＨＬ規格に従ったディスカバリー・プロセスを通じて、シンク機器２０がＭＨＬ対応かどうかを確認することができる。ＭＨＬを最優先でチェックするのは、ＭＨＬ対応のシンク機器２０からの電源供給が可能となり、ソース機器１０の電源の消耗を抑えることができるからである。特にソース機器１０がバッテリー駆動の場合は、マルチ・アダプター４０への電源の供給元をソース機器１０からシンク機器２０に切り替えるのは有効である。
【００６４】
ここで、シンク機器２０がＭＨＬに対応している場合には（ステップＳ３０３のＹｅｓ）、マルチ・アダプター４０は、自身への電源の供給元をソース機器１０からシンク機器２０に切り替える（ステップＳ３０４）。その後、ソース機器１０とマルチ・アダプター４０の双方をＭＨＬの代替モードに設定する。そして、ＭＨＬのインターフェースの仕様及びプロトコルに従ってソース機器１０とマルチ・アダプター４０間でリンクを確立して、ソース機器１０とマルチ・アダプター４０間の代替モード接続を完了する（ステップＳ３０９）。ソース機器１０との通信が開始されると、マルチ・アダプター４０内のプロトコル・コンバーター４４は、ソース機器１０からの入力をＭＨＬにコンバート処理してシンク機器２０に出力し、通常のＭＨＬ接続となる。
【００６５】
また、シンク機器２０がＭＨＬに対応していない場合には（ステップＳ３０３のＮｏ）、続いて、マルチ・アダプター４０は、ソース機器１０がＤｉｓｐｌａｙＰｏｒｔの代替モードに対応しているか否かをチェックする（ステップＳ３０５）。
【００６６】
まずＤｉｓｐｌａｙＰｏｒｔへの対応をチェックするのは、ＤｉｓｐｌａｙＰｏｒｔがＨＤＭＩ（登録商標）と信号処理において互換性が高いことと、ＤｉｓｐｌａｙＰｏｒｔの代替モードに対応したソース機器（パーソナル・コンピューターなどの情報機器）の出荷量が大きいことに依拠する。
【００６７】
ソース機器１０がＤｉｓｐｌａｙＰｏｒｔに対応している場合には（ステップＳ３０５のＹｅｓ）、ソース機器１０とマルチ・アダプター４０の双方をＤｉｓｐｌａｙＰｏｒｔの代替モードに設定する。そして、ＤｉｓｐｌａｙＰｏｒｔのインターフェースの仕様及びプロトコルに従ってソース機器１０とマルチ・アダプター４０間のリンクを成立させて、ソース機器１０とマルチ・アダプター４０間の代替モード接続を完了する（ステップＳ３０９）。その後、マルチ・アダプター４０内のプロトコル・コンバーター４４は、ソース機器１０からの入力をＨＤＭＩ（登録商標）にコンバート処理して、シンク機器２０に出力する。
【００６８】
また、ソース機器１０がＤｉｓｐｌａｙＰｏｒｔに対応していないが（ステップＳ３０５のＮｏ）、マルチ・アダプター４０が対応可能なその他の伝送規格の代替モードに対応している場合には（ステップＳ３０６のＹｅｓ）、ソース機器１０とマルチ・アダプター４０の双方をその代替モードに設定する。そして、その伝送規格のインターフェースの仕様及びプロトコルに従ってソース機器１０とマルチ・アダプター４０間のリンクを成立させて、ソース機器１０とマルチ・アダプター４０間の代替モード接続を完了する（ステップＳ３０９）。その後、マルチ・アダプター４０内のプロトコル・コンバーター４４は、ソース機器１０からの入力をＨＤＭＩ（登録商標）にコンバート処理して、シンク機器２０に出力する。
【００６９】
また、ソース機器１０が、マルチ・アダプター４０が対応可能ないずれの代替モードにも対応していない場合には（ステップＳ３０６のＮｏ）、マルチ・アダプター４０は対応不可ということでソース機器１０との通信を終了し、本処理ルーチンを終了する。マルチ・アダプター４０が表示用デバイス４６を搭載している場合には、代替モードでの通信が確立しなかった際に、「この機器は対応していません」などのエラー・メッセージをシンク機器２０側で表示するようにしてもよい。
【００７０】
図４には、図１に示した通信システム１において代替モードを設定するための処理手順の他の例をフローチャートの形式で示している。基本的には、マルチ・アダプター４０が主導的となって代替モードの設定を行なうものとする（同上）。また、図示の処理手順は、マルチ・アダプター４０が少なくともＭＨＬ、ＨＤＭＩ（登録商標）、ＤｉｓｐｌａｙＰｏｒｔ、並びにＴｈｕｎｄｅｒｂｏｌｔの各データ伝送規格を含む複数の代替モードに対応していることを前提とする。
【００７１】
ソース機器１０とシンク機器２０に装着されたマルチ・アダプター４０がＴｙｐｅ−Ｃケーブル３０で接続されると、ソース機器１０とマルチ・アダプター４０間でＴｙｐｅ−Ｃの規格に沿った通信が開始する。そして、マルチ・アダプター４０は、接続されたソース機器１０が代替モードに対応しているか否かをチェックする（ステップＳ４０１）。
【００７２】
ソース機器１０が代替モードに対応していない場合には（ステップＳ４０１のＮｏ）、マルチ・アダプター４０は対応不可ということでソース機器１０との通信を終了し、本処理ルーチンを終了する。マルチ・アダプター４０が表示用デバイス４６を搭載している場合には、代替モードでの通信が確立しなかった際に、「この機器は対応していません」などのエラー・メッセージをシンク機器２０側で表示するようにしてもよい。
【００７３】
一方、ソース機器１０が代替モードに対応している場合には（ステップＳ４０１のＹｅｓ）、続いて、マルチ・アダプター４０は、ソース機器１０がどの代替モードに対応しているかを確認する。
【００７４】
まず、マルチ・アダプター４０は、ソース機器１０が出力したい優先順位リストを持っているか否かをチェックする（ステップＳ４０２）。
【００７５】
本実施形態では、代替モードに対応するソース機器１０は、ソース機器１０自身が出力したい代替モードの優先順位を設定することができ、Ｔｙｐｅ−Ｃコントローラー１１が優先順位リストという形式で管理している（前述）。
【００７６】
ソース機器１０が代替モードの優先順位リストを持っている場合には（ステップＳ４０２のＹｅｓ）、マルチ・アダプター４０は、その優先順位リストで指定されている順序に従って、マルチ・アダプター４０自身が対応している代替モードであるか否かを確認する（ステップＳ４０９）。
【００７７】
マルチ・アダプター４０が対応可能な代替モードが優先順位リスト内に存在すれば（ステップＳ４０９のＹｅｓ）、マルチ・アダプター４０は自身が対応可能であることをソース機器１０に返して、ソース機器１０とマルチ・アダプター４０の双方の代替モードをマルチ・アダプター４０が対応可能で優先順位リストの最上位となる動作モードに切り替える（ステップＳ４１０）。そして、当該動作モードのインターフェースの仕様及びプロトコルに従って、ソース機器１０とマルチ・アダプター４０間のリンクを成立させて、ソース機器１０とマルチ・アダプター４０間の代替モード接続を完了する（ステップＳ４１１）。その後、ソース機器１０とマルチ・アダプター４０間で通信を開始すると、マルチ・アダプター４０内のプロトコル・コンバーター４４は、ソース機器１０からの入力をＨＤＭＩ（登録商標）に適宜変換して（但し、ＨＤＭＩ（登録商標）の代替モードに切り替えた場合を除く）、シンク機器２０に出力する。
【００７８】
また、ソース機器１０が持つ優先順位リストにリストアップされている代替モードの中に、マルチ・アダプター４０が対応可能なものが含まれていない場合には（ステップＳ４０９のＮｏ）、マルチ・アダプター４０は、対応不可ということでソース機器１０との通信を終了し、本処理ルーチンを終了する。マルチ・アダプター４０が表示用デバイス４６を搭載している場合には、代替モードでの通信が確立しなかった際に、「この機器は対応していません」などのエラー・メッセージをシンク機器２０側で表示するようにしてもよい。
【００７９】
また、ソース機器１０が出力したい優先順位リストを持っていない場合には（ステップＳ４０２のＮｏ）、マルチ・アダプター４０は、通信システム１若しくはマルチ・アダプター４０においてあらかじめ設定している優先順位に従って、代替モードの設定を開始する。
【００８０】
具体的には、マルチ・アダプター４０は、まずシンク機器２０がＭＨＬに対応しているか否かをチェックする（ステップＳ４０３）。ソース機器１０がＭＨＬに対応する場合には、ＭＨＬ規格に従ったディスカバリー・プロセスを通じて、シンク機器２０がＭＨＬ対応かどうかを確認することができる。ＭＨＬを最優先でチェックするのは、ＭＨＬ対応のシンク機器２０からの電源供給が可能となり、ソース機器１０の電源の消耗を抑えることができるからである。特にソース機器１０がバッテリー駆動の場合は、マルチ・アダプター４０への電源の供給元をソース機器１０からシンク機器２０に切り替えるのは有効である。
【００８１】
ここで、シンク機器２０がＭＨＬに対応している場合には（ステップＳ４０３のＹｅｓ）、マルチ・アダプター４０は、自身への電源の供給元をソース機器１０からシンク機器２０に切り替える（ステップＳ４０４）。その後、ソース機器１０とマルチ・アダプター４０の双方をＭＨＬの代替モードに設定する。そして、ＭＨＬのインターフェースの仕様及びプロトコルに従ってソース機器１０とマルチ・アダプター４０間でリンクを確立して、ソース機器１０とマルチ・アダプター４０間の代替モード接続を完了する（ステップＳ４１１）。ソース機器１０との通信が開始されると、マルチ・アダプター４０内のプロトコル・コンバーター４４は、ソース機器１０からの入力をＭＨＬにコンバート処理してシンク機器２０に出力し、通常のＭＨＬ接続となる。
【００８２】
また、シンク機器２０がＭＨＬに対応していない場合には（ステップＳ４０３のＮｏ）、続いて、マルチ・アダプター４０は、ＨＤＭＩ（登録商標）（ステップＳ４０５）、ＤｉｓｐｌａｙＰｏｒｔ（ステップＳ４０６）、Ｔｈｕｎｄｅｒｂｏｌｔ（ステップＳ４０７）の順序で、ソース機器１０がどの代替モードに対応しているか否かをチェックする。
【００８３】
まずＨＤＭＩ（登録商標）への対応をチェックするのは、ソース機器１０とシンク機器２０の双方がＨＤＭＩ（登録商標）の代替モードに対応していれば、マルチ・アダプター４０内のプロトコル・コンバーター４４は特にコンバート処理する必要なくシンク機器２０に出力することができ、コンバート処理負荷がかからないため消費電力や遅延を抑制できるからである。
【００８４】
また、ＨＤＭＩ（登録商標）に続いてＤｉｓｐｌａｙＰｏｒｔへの対応をチェックするのは、ＤｉｓｐｌａｙＰｏｒｔがＨＤＭＩ（登録商標）と信号処理において互換性が高いことと、ＤｉｓｐｌａｙＰｏｒｔの代替モードに対応したソース機器（パーソナル・コンピューターなどの情報機器）の出荷量が大きいことに依拠する。
【００８５】
ソース機器１０がＨＤＭＩ（登録商標）の代替モードに対応している場合には（ステップＳ４０５のＹｅｓ）、ソース機器１０とマルチ・アダプター４０の双方をＨＤＭＩ（登録商標）の代替モードに設定する。そして、ＨＤＭＩ（登録商標）のインターフェースの仕様及びプロトコルに従ってソース機器１０とマルチ・アダプター４０間のリンクを成立させて、ソース機器１０とマルチ・アダプター４０間の代替モード接続を完了する（ステップＳ４１１）。ソース機器１０とシンク機器２０の双方がＨＤＭＩ（登録商標）の代替モードに対応していれば、マルチ・アダプター４０内のプロトコル・コンバーター４４は、ソース機器１０からの入力を特にコンバート処理することなく、シンク機器２０に出力する。
【００８６】
また、ソース機器１０がＨＤＭＩ（登録商標）に対応していないが（ステップＳ４０５のＮｏ）、ソース機器１０とマルチ・アダプター４０の双方がＤｉｓｐｌａｙＰｏｒｔ（ＤＰ）に対応している場合には（ステップＳ４０６のＹｅｓ）、ソース機器１０とマルチ・アダプター４０の双方をＤｉｓｐｌａｙＰｏｒｔの代替モードに設定する。そして、ＤｉｓｐｌａｙＰｏｒｔのインターフェースの仕様及びプロトコルに従ってソース機器１０とマルチ・アダプター４０間のリンクを成立させて、ソース機器１０とマルチ・アダプター４０間の代替モード接続を完了する（ステップＳ４１１）。その後、マルチ・アダプター４０内のプロトコル・コンバーター４４は、ソース機器１０からの入力をＨＤＭＩ（登録商標）にコンバート処理して、シンク機器２０に出力する。
【００８７】
また、ソース機器１０がＤｉｓｐｌａｙＰｏｒｔにも対応していないが（ステップＳ４０６のＮｏ）、ソース機器１０とマルチ・アダプター４０の双方がＴｈｕｎｄｅｒｂｏｌｔ（Ｔｂ）に対応している場合には（ステップＳ４０７のＹｅｓ）、ソース機器１０とマルチ・アダプター４０の双方をＴｈｕｎｄｅｒｂｏｌｔの代替モードに設定する。そして、Ｔｈｕｎｄｅｒｂｏｌｔのインターフェースの仕様及びプロトコルに従ってソース機器１０とマルチ・アダプター４０間のリンクを成立させて、ソース機器１０とマルチ・アダプター４０間の代替モード接続を完了する（ステップＳ４１１）。その後、マルチ・アダプター４０内のプロトコル・コンバーター４４は、ソース機器１０からの入力をＨＤＭＩ（登録商標）にコンバート処理して、シンク機器２０に出力する。
【００８８】
また、ソース機器１０がＴｈｕｎｄｅｒｂｏｌｔにも対応していないが（ステップＳ４０７のＮｏ）、マルチ・アダプター４０が対応可能なその他の伝送規格の代替モードに対応している場合には（ステップＳ４０８のＹｅｓ）、ソース機器１０とマルチ・アダプター４０の双方をその代替モードに設定する。そして、その伝送規格のインターフェースの仕様及びプロトコルに従ってソース機器１０とマルチ・アダプター４０間のリンクを成立させて、ソース機器１０とマルチ・アダプター４０間の代替モード接続を完了する（ステップＳ４１１）。その後、マルチ・アダプター４０内のプロトコル・コンバーター４４は、ソース機器１０からの入力をＨＤＭＩ（登録商標）にコンバート処理して、シンク機器２０に出力する。
【００８９】
また、ソース機器１０が、マルチ・アダプター４０が対応可能ないずれの代替モードにも対応していない場合には（ステップＳ４０８のＮｏ）、マルチ・アダプター４０は対応不可ということでソース機器１０との通信を終了し、本処理ルーチンを終了する。マルチ・アダプター４０が表示用デバイス４６を搭載している場合には、代替モードでの通信が確立しなかった際に、「この機器は対応していません」などのエラー・メッセージをシンク機器２０側で表示するようにしてもよい。
【００９０】
本実施形態に係る通信システム１によれば、以下の（１）〜（４）に示すような効果が期待できる。
【００９１】
（１）ＨＤＭＩ（登録商標）対応のシンク機器２０にマルチ・アダプター４０を装着することで、既存のＵＳＢ  Ｔｙｐｅ−Ｃケーブルで代替モード対応のソース機器と接続することができ、代替モード毎の特殊ケーブルを必要としない。
【００９２】
（２）代替モードのソース機器１０からの映像及び音声信号の出力先として、既存のＨＤＭＩ（登録商標）対応のシンク機器２０をそのまま使用することができる。
【００９３】
（３）マルチ・アダプター４０が適切な代替モードに設定するので、ユーザーは、ソース機器がどの代替モードに対応しているかを意識せずに使用することができる。
【００９４】
（４）ソース機器１０とシンク機器２０がともにＭＨＬの代替モードに対応している場合には、マルチ・アダプター４０への電源供給をソース機器１０からシンク機器２０に切り替えることで、ソース機器１０の電源消耗を抑えることができる。特に、バッテリー駆動のソース機器１０には有効である。
【産業上の利用可能性】
【００９５】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００９６】
本明細書では、ＵＳＢ  Ｔｙｐｅ−Ｃと代替モードに対応したソース機器をＵＳＢ  Ｔｙｐｅ−Ｃケーブルを使用してＨＤＭＩ（登録商標）若しくはＭＨＬ対応のシンク機器に接続する通信システムに本明細書で開示する技術を適用した実施形態を中心に説明してきたが、本明細書で開示する技術の要旨はこれに限定されるものではない。代替モードと同様の動作モードを持つＵＳＢ  Ｔｙｐｅ−Ｃ以外のバス規格のケーブルを用いてソース機器にシンク機器を接続する通信システムにおいても、同様に本明細書で開示する技術を適用することができる。
【００９７】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【００９８】
なお、本明細書の開示の技術は、以下のような構成をとることも可能である。
（１）ソース機器と接続する第１の接続部と、
シンク機器と接続する第２の接続部と、
代替モードの設定を制御する制御部と、
前記ソース機器からの入力を前記シンク機器が対応する伝送規格に則ってプロトコル変換する変換部と、
を具備するアダプター。
（２）前記制御部は、前記ソース機器が対応する代替モードを確認して、前記アダプターの代替モードの設定を制御する、
上記（１）に記載のアダプター。
（３）前記制御部は、前記ソース機器で指定されている優先順位に従って、前記アダプターの代替モードの設定を制御する、
上記（１）に記載のアダプター。
（４）前記制御部は、いずれの伝送規格の代替モードに設定するかを所定の順序で確認する、
上記（１）に記載のアダプター。
（５）前記制御部は、シンク機器による電源供給機能を有する第１の伝送規格の代替モードを優先して設定する、
上記（４）に記載のアダプター。
（６）前記制御部は、前記ソース機器及び前記シンク機器がともに前記第１の伝送規格に対応する場合には、前記シンク機器からの電源供給に切り替えるとともに、前記第１の伝送規格の代替モードに設定する、
上記（５）に記載のアダプター。
（７）前記制御部は、前記シンク機器が対応する前記伝送規格との互換性に基づいて代替モードの設定を制御する、
上記（４）に記載のアダプター。
（８）前記制御部は、前記シンク機器が対応する前記伝送規格の代替モードに優先して設定する、
上記（４）に記載のアダプター。
（９）前記制御部は、前記シンク機器が対応する前記伝送規格と互換性の高い代替モードに優先して設定する、
上記（４）に記載のアダプター。
（１０）前記制御部は、ＭＨＬ、ＤｉｓｐｌａｙＰｏｒｔの順序で代替モードの設定が可能か否かを確認する、
上記（４）に記載のアダプター。
（１１）前記制御部は、ＭＨＬ、ＨＤＭＩ（登録商標）、ＤｉｓｐｌａｙＰｏｒｔ、Ｔｈｕｎｄｅｒｂｏｌｔの順序で代替モードの設定が可能か否かを確認する、
上記（４）に記載のアダプター。
（１２）前記第１の接続部は、汎用ケーブルを介して前記ソース機器と接続する、
上記（１）に記載のアダプター。
（１３）前記第１の接続部は、ＵＳＢ（Ｕｎｉｖｅｒｓａｌ  Ｓｅｒｉａｌ  Ｂｕｓ）  Ｔｙｐｅ−Ｃレセプタクルを備え、ＵＳＢ  Ｔｙｐｅ−Ｃケーブルを介して、ＵＳＢ  Ｔｙｐｅ−ＣのＡｌｔｅｒｎａｔｅ  Ｍｏｄｅに対応した前記ソース機器と接続する、
上記（１）に記載のアダプター。
（１４）前記第２の接続部は、ＨＤＭＩ（登録商標）に対応した前記シンク機器に差し込むＨＤＭＩ（登録商標）  Ｔｙｐｅ−Ａプラグを備える、
上記（１３）に記載のアダプター。
（１５）ソース機器と接続する第１の接続部とシンク機器と接続する第２の接続部を備えたアダプターの制御方法であって、
前記アダプターの代替モードの設定を制御する制御ステップと、
前記ソース機器からの入力を前記シンク機器が対応する伝送規格に則ってプロトコル変換する変換ステップと、
を有するアダプターの制御方法。
（１６）シンク機器とケーブルで接続する接続部と、
代替モードに関する動作モードの優先順位リストと、
を具備する情報処理装置。
（１７）前記接続部は、汎用ケーブルを介して前記ソース機器と接続する、
上記（１６）に記載の情報処理装置。
（１８）ＵＳＢ  Ｔｙｐｅ−ＣのＡｌｔｅｒｎａｔｅ  Ｍｏｄｅに対応し、
前記接続部は、ＵＳＢ  Ｔｙｐｅ−Ｃレセプタクルを備え、ＵＳＢ  Ｔｙｐｅ−Ｃケーブルを介して請求項１３に記載のアダプターと接続する、
上記（１６）に記載の情報処理装置。
【符号の説明】
【００９９】
１…通信システム
１０…ソース機器、１１…Ｔｙｐｅ−Ｃコントローラー
１２…プロトコル・コンバーター、１３…Ｔｙｐｅ−Ｃレセプタクル
２０…シンク機器、２１…Ｔｙｐｅ−Ａレセプタクル２１
３０…ケーブル、３１、３２…Ｔｙｐｅ−Ｃプラグ
４０…マルチ・アダプター、４１…Ｔｙｐｅ−Ｃレセプタクル
４２…Ｔｙｐｅ−Ａプラグ、４３…Ｔｙｐｅ−Ｃコントローラー
４４…プロトコル・コンバーター、４５…Ｐｏｗｅｒブロック
４６…表示用デバイス
【図１】
2017097603.tif 000003
【図２】
2017097603.tif 000004
【図３】
2017097603.tif 000005
【図４】
2017097603.tif 000006